(57)【要約】【課題】主検知センサー及び副検知センサーを設けることによって被制御対象の動作モードを切替えることが可能になるので、操作性及び取扱い性に優れる動体検知スイッチ及び動体検知スイッチシステムを提供する。【解決手段】所定の主検知エリア５０内の動体の存在を検知する主検知センサー５と、動体の通常の動きの範囲外に設定された副検知エリア６０内の動体の存在を検知する副検知センサー６と、主検知センサー５の動体存在の検知による検知信号に基づいて被制御対象１０を動作させる動作信号を発生し、副検知センサー６の動体存在の検知信号に基づいて被制御対象１０の動作モードを切替えるように制御する制御部７とを具備した動体検知スイッチである。【選択図】図２
2008041457.tif 000002
【特許請求の範囲】
【請求項１】
所定の主検知エリア内の動体の存在を検知する主検知センサーと；
動体の通常の動きの範囲外に設定された副検知エリア内の動体の存在を検知する副検知センサーと；
主検知センサーの動体存在の検知による検知信号に基づいて被制御対象を動作させる動作信号を発生し、副検知センサーの動体存在の検知信号に基づいて被制御対象の動作モードを切替えるように制御する制御部と；
を具備したことを特徴とする動体検知スイッチ。
【請求項２】
主検知センサーの主検知エリアと副検知センサーの副検知エリアとは重複していないことを特徴とする請求項１に記載の動体検知スイッチ。
【請求項３】
制御部は、副検知センサーの動体存在の検知信号に基づいて動作モードを順次切替え制御することを特徴とする請求項１又は請求項２に記載の動体検知スイッチ。
【請求項４】
動作モードの状態を異なる発光色により表示する動作モード表示部が設けられていることを特徴とする請求項１乃至請求項３のいずれか一に記載の動体検知スイッチ。
【請求項５】
請求項１乃至請求項４のいずれか一に記載の動体検知スイッチに被制御対象を接続したことを特徴とする動体検知スイッチシステム。
【請求項６】
被制御対象は、照明装置であることを特徴とする請求項５に記載の動体検知スイッチシステム。
【発明の詳細な説明】
【技術分野】
【０００１】
本発明は、人感スイッチ等の動体検知スイッチ及びこの動体検知スイッチを用いたシステムに関する。
【背景技術】
【０００２】
従来、一般住宅やビル内においては、省エネルギーの観点から天井等に人感スイッチを取付け、人体から放射される熱線を焦電素子で検知することにより、人が所定の検知エリア内に存在している間は照明装置を点灯させ、人が検知エリアの外に出てから一定時間経過後に照明装置を消灯させる人感スイッチを用いた照明システムが考えられている。
【０００３】
この場合、人感スイッチは、使用の利便性から複数の動作モードに切替えスイッチにより切替え設定できるようになっている。例えば、「常時ＯＮモード」「通常（人感）モード」「常時ＯＦＦモード」の如きである。
【０００４】
そして、これら動作モードの切替えは、人感スイッチのカバー内に設けられた切替えスイッチを操作することにより行われていた。
【０００５】
また、赤外線リモコンにより「連続点灯モード」「通常モード」「防犯モード」を選択し、リモコンで動作モードを切替えた際、照明用負荷や報知用光源を点滅させる等により動作させて切替え時の識別を容易に行えるようにしたものが知られている（「特許文献１」参照）。
【特許文献１】特開２００４−３５５８３４号公報
【発明の開示】
【発明が解決しようとする課題】
【０００６】
しかしながら、人感スイッチのカバー内に設けられた切替えスイッチを操作するものにおいては、動作モードを切替える都度、カバーを取外さなくてはならず、取扱いが面倒になる。また、特許文献１に示されたものは、リモコンにより動作モードを切替えるため、リモコンが必要になり、リモコンの不使用時の保管、さらにはリモコンを使いたいときに即座に見当たらない等の不都合が生じるものである。
【０００７】
本発明は、上記不都合を解消しようとするもので、切替えスイッチ等の切替え手段を別途設けることなく、検知センサーにより動作モードを切替えることが可能であって、操作性及び取扱い性に優れる動体検知スイッチ及び動体検知スイッチシステムを提供することを目的とする。
【課題を解決するための手段】
【０００８】
請求項１に記載の動体検知スイッチの発明は、所定の主検知エリア内の動体の存在を検知する主検知センサーと、動体の通常の動きの範囲外に設定された副検知エリア内の動体の存在を検知する副検知センサーと、主検知センサーの動体存在の検知による検知信号に基づいて被制御対象を動作させる動作信号を発生し、副検知センサーの動体存在の検知信号に基づいて被制御対象の動作モードを切替えるように制御する制御部とを具備したことを特徴とする。
【０００９】
請求項２に記載の動体検知スイッチの発明は、請求項１に記載の動体検知スイッチにおいて、
【００１０】
主検知センサーの主検知エリアと副検知センサーの副検知エリアとは重複していないことを特徴とする。
【００１１】
請求項３に記載の動体検知スイッチの発明は、請求項１又は請求項２に記載の動体検知スイッチにおいて、制御部は、副検知センサーの動体存在の検知信号に基づいて動作モードを順次切替え制御することを特徴とする。
【００１２】
請求項４に記載の動体検知スイッチの発明は、請求項１乃至請求項３のいずれか一に記載の動体検知スイッチにおいて、動作モードの状態を異なる発光色により表示する動作モード表示部が設けられていることを特徴とする。
【００１３】
請求項５に記載の動体検知スイッチシステムの発明は、請求項１乃至請求項４のいずれか一に記載の動体検知スイッチに被制御対象を接続したことを特徴とする。
【００１４】
請求項６に記載の動体検知スイッチシステムの発明は、請求項５に記載の動体検知スイッチシステムにおいて、被制御対象は、照明装置であることを特徴とする。  
【００１５】
各発明において、特に指定しない限り用語の定義及び技術的意味は次による。
【００１６】
主検知センサー及び副検知センサーは、検知エリア内を少なくとも一部が移動する動体としての人、物を検知できるものであり、例えば、赤外線で動体を検知する赤外線センサー、マイクロ波等で動体を検知する反射形センサー等が適用可能であり、これらを含む。
【００１７】
被制御対象としては、照明装置、警報ベル、サイレン、開閉扉、自動通報機（動体を検知することにより登録した電話番号に自動通報する装置）等を含む。
【００１８】
動体の通常の動きの範囲とは、例えば、廊下に動体検知スイッチを設置し、人の動きを検知してスイッチを動作させるような場合には、人の歩行動作と、その歩行動作に関連した動作を含む範囲を意味する。
【発明の効果】
【００１９】
本発明によれば、主検知センサー及び副検知センサーを設けることによって被制御対象の動作モードを切替えることが可能になるので、操作性及び取扱い性に優れる動体検知スイッチ及び動体検知スイッチシステムを提供することができる。
【発明を実施するための最良の形態】
【００２０】
本発明の動体検知スイッチ及び動体検知スイッチシステムの一実施形態を図を参照して説明する。
【００２１】
図１は、動体検知スイッチを示す斜視図、図２は、動体検知スイッチシステムを示すブロック図である。図１において、動体検知スイッチとして、人の存在を検知する人感スイッチ１が示されている。この人感スイッチ１は、被制御対象を「常時ＯＮモード」「通常（人感）モード」「常時ＯＦＦモード」の３つの動作モードに切替える機能を有し、天井埋込み型で、筒状の本体部２と、この本体部２と連なる皿状の開口面部３及びこの開口面部３を覆うカバー４とから構成されている。
【００２２】
本体部２、開口面部３には、主検知センサー５、副検知センサー６、制御部７及び動作モード表示部としての表示用ＬＥＤ８が収納されている。
【００２３】
カバー４は合成樹脂製で、主検知センサー５、副検知センサー６に対応して主検知面５ａ及び副検知面６ａが形成され、表示用ＬＥＤ８に対応した部分は、光透過性部材で形成されている。主検知センサー５は、熱線を検知する焦電素子を備えており、いわゆる人感センサーと呼ばれるものである。この主検知センサー５は、有効検知距離約３．５ｍ、検知全方向角度約１１０度の主検知エリアを有する。
【００２４】
副検知センサー６は、赤外線発光のＬＥＤと、赤外線受光素子を備えており、自ら発光したＬＥＤからの赤外線を人の手などで反射させ、その反射を受光素子で検知するもので、いわゆるタッチレスセンサーと呼ばれるものである。この副検知センサー６は、有効検知距離約１．２ｍ、検知全方向角度約２０度の副検知エリアを有する。
【００２５】
主検知センサー５の主検知エリアと副検知センサー６の副検知エリアとの関係は、主検知センサー５の主検知エリアより副検知センサー６の副検知エリアが狭く、かつ両者は重ならない関係になっている。したがって、両者の検知エリアの区分けが明確となっている。
【００２６】
表示用ＬＥＤ８としては、赤色、白色、緑色の３個のＬＥＤ８ａ、８ｂ、８ｃが開口面部３に設けられており、「常時ＯＮモード」の状態では赤色のＬＥＤ８ａが点灯し、「通常（人感）モード」の状態では白色のＬＥＤ８ｂが点灯し、「常時ＯＦＦモード」の状態では緑色のＬＥＤ８ｃが点灯するようになっている。
【００２７】
図２において、人感スイッチ１は、主検知センサー５、副検知センサー６、制御部７及び動作モード表示部８が接続されて構成されている。そしてこの人感スイッチ１には、被制御対象として照明装置１０が接続されている。
【００２８】
次に、主として図２及び図３を参照して本実施形態の動作を説明する。図３（ａ）（ｂ）は動作説明図であり、まず、図３（ａ）において、天井面２０に埋込み設置された人感スイッチ１が示されている。２１は、床面である。現在の動作モードは、「通常（人感）モード」であり、この状態を表示するため白色のＬＥＤ８ｂが点灯している。
【００２９】
人感センサー５は、カバー４の検知面５ａを介して、略円錐形で下向きの主検知エリア５０を有する。一方、タッチレスセンサー６は、カバー４の検知面６ａを介しての略円錐形で斜め下方向きの副検知エリア６０を有する。
【００３０】
そこで、今、歩行者が主検知エリア５０に入ってきたと仮定すると、人感センサー５が人体を検知し、その検知信号が制御部７に送られ、その検知信号に基づいて制御部７が動作信号を発生して、当該信号が照明装置１０に送られる。結果、人感スイッチ１の前方あるいは近傍に配置された照明装置１０が点灯する。その後、歩行者が主検知エリア５０外に出ると、一定時間経過後、制御部７から動作信号が発生し、その信号が照明装置１０に送られ、照明装置１０は消灯する。
【００３１】
次に、動作モードを切替える場合について図３（ｂ）を参照して説明する。図に示すように、歩行者が副検知エリア６０に手をかざすと、ＬＥＤからの赤外線がその手で反射し、受光素子が検知する。この検知信号が制御部７に入力されると、動作モードが切替えられるとともに制御部７が動作信号を発生して、動作モード表示部８に送られ、表示部としてのＬＥＤ８ａ，８ｂ，８ｃの点灯状態が切替わる。
【００３２】
つまり、タッチレスセンサー６が検知するたびごとに、順次動作モードが「通常（人感）モード」→「常時ＯＦＦモード」→「常時ＯＮモード」と切替わり、これに対応してＬＥＤ８ａ，８ｂ，８ｃの点灯状態は、白色→緑色→赤色と発光色が切替わる。
【００３３】
ここで、副検知エリア６０は、主検知エリア５０よりも相対的に狭く、人体の通常の動きの範囲外、この場合は、歩行に関連する動きの範囲外に設定されている。換言すれば、歩行に関連する動作の範囲では副検知センサー６は人体を検知せず、不用意に動作することはなく、意識的に動作モードを切替える動きが行わなければ、副検知センサー６は機能しない構成になっている。しかし、勿論、予期せず偶発的に副検知エリア６０に人体等が侵入してしまえば、副検知センサー６が機能することはあり得る。
【００３４】
なお、人感センサー５及びタッチレスセンサー６の検知エリア５０、６０は、略円錐形の形状に限定されず、扇形等であってもよい。
【００３５】
以上のように、本実施形態によれば、操作性及び取扱い性に優れる人感スイッチ及び人感スイッチシステムを提供することができる。
【００３６】
また、動作モードの切替えは、副検知エリア６０に手をかざす等により容易に行うことができる。
【００３７】
副検知エリア６０は、主検知エリア５０より狭く、かつ両者の検知エリア５０、６０が重複せず、歩行者の通常の動きの範囲外に設定されているので、不用意に動作モードが切替わってしまうことを防止できる。
【００３８】
さらに、動作モードは、タッチレスセンサー６に手をかざすたびに順次切替わるので操作がし易く、また、動作モードは、その動作モードに対応して異なる発光色により表示されるので、動作モードの識別がし易い利点がある。
【００３９】
次に、本発明の第２の実施形態について図４の動作説明図を参照して説明する。図４においては、人感スイッチ１の副検知エリア６０が天井面に近づけられた、つまり、天井面となす角度を小さくした形態が示されている。
【００４０】
本実施形態によれば、副検知エリア６０が位置的に高く設定されているので、通常、人が副検知エリア６０に向けて手をかざしても副検知エリア６０に届かない。したがって、脚立、椅子２２等に乗って副検知エリア６０に向けて手をかざす必要があり、この点、人等の動作で不用意に動作モードが切替わってしまうことをより確実に防止できる。
【００４１】
次に、本発明の第３の実施形態について図５の動作説明図を参照して説明する。図５においては、人感スイッチ１の副検知エリア６０が主検知エリア５０と重複している形態が示されている。そして、副検知エリア６０は、有効検知距離が短く、比較的高い位置に設定されている。
【００４２】
したがって、本実施形態においても、副検知エリア６０は高い位置ゆえ、通常の歩行者の動きによっては、副検知センサー６は動作せず、副検知エリア６０に手等をかざしたときのみ副検知センサー６は動作し、動作モードを切替えることができる。
【００４３】
本実施形態においては、副検知エリア６０が、主検知エリア５０と全く重複している場合、すなわち、副検知エリア６０が主検知エリア５０の中にすっぽり包含されている場合について説明したが、両者の検知エリア５０、６０が部分的に重複する場合であってもよい。
【００４４】
以上の各実施形態において、被検知対象としての動体は、人体に限らず、車両等の物体であってもよい。
【００４５】
また、副検知センサー部分を本体側と別体に構成し、この副検知センサーを本体側に接続するようにしてもよい。
【図面の簡単な説明】
【００４６】
【図１】本発明の動体検知スイッチの実施形態を示す斜視図である。
【図２】同動体検知スイッチシステムを示すブロック図である。
【図３】同動体検知スイッチシステムの動作を説明するための動作説明図である。
【図４】同動体検知スイッチシステムの第２の実施形態を示す動作説明図である。
【図５】同動体検知スイッチシステムの第３の実施形態を示す動作説明図である。
【符号の説明】
【００４７】
１    動体検知スイッチ（人感スイッチ）
５    主検知センサー
６    副検知センサー
７    制御部
１０  被制御対象（照明装置）
５０  主検知エリア
６０  副検知エリア
【図１】
2008041457.tif 000003
【図２】
2008041457.tif 000004
【図３】
2008041457.tif 000005
【図４】
2008041457.tif 000006
【図５】
2008041457.tif 000007